【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
透光性を有する第１板状体と、第２板状体とが接着剤により貼り合わされてなる貼り合せ板状体を撮影して検査する貼り合せ板状体検査装置であって、
前記貼り合せ板状体の前記第１板状体に対向して配置されるラインセンサカメラと、
前記貼り合せ板状体の前記第１板状体側から斜めに当該貼り合せ板状体を照明する照明手段と、
該照明手段により照明がなされている状態で前記貼り合せ板状体を走査する前記ラインセンサカメラから出力される映像信号を処理する処理ユニットとを有し、
前記処理ユニットは、前記ラインセンサカメラから出力される映像信号に基づいて画素単位の濃淡値からなる検査画像情報を生成する検査画像情報生成手段と、
前記検査画像情報生成手段により生成された前記検査画像情報から得られる前記第１板状体の縁端を横切る検査ライン上の濃淡値プロファイルに基づいて、前記検査ライン上での前記第１板状体の縁端と前記接着剤の縁端との間隔を表す縁端間距離情報を生成する縁端間距離情報生成手段とを有し、
前記第１板状体の縁端は、前記第２板状体の縁端より内側にあり、
前記縁端間距離情報生成手段は、前記接着剤が前記第１板状体の縁端からはみ出している場合と前記接着剤が前記第１板状体の縁端に達していない場合とを区別して、前記縁端間距離情報を生成し、前記縁端間距離情報生成手段にて生成される前記縁端間距離情報に基づいた検査結果を提供する貼り合せ板状体検査装置。
【請求項２】
前記縁端間距離情報生成手段は、前記検査画像情報から得られる前記第１板状体の縁端を横切る前記ラインセンサカメラの副走査方向または主走査方向に延びる検査ライン上の濃淡値プロファイルに基づいて前記縁端間距離情報を生成する請求項１記載の貼り合せ板状体検査装置。
【請求項３】
前記縁端間距離情報生成手段は、前記検査画像情報において、前記第１板状体の縁端を
含む所定領域に対応した処理領域を設定する手段を有し、
前記処理領域から得られる前記検査ライン上の濃淡値プロファイルに基づいて前記縁端
間距離情報を生成する請求項１または２に記載の貼り合せ板状体検査装置。
【請求項４】
前記縁端間距離情報生成手段は、前記ラインセンサカメラの副走査方向が前記第１板状体の縁端を横切る所定領域に対応した処理領域では、当該処理領域から得られる前記副走査方向に延びる検査ライン上の濃淡値プロファイルに基づいて前記縁端間距離情報を生成する請求項３記載の貼り合せ板状体検査装置。
【請求項５】
前記縁端間距離情報生成手段は、前記ラインセンサカメラの主走査方向が前記第１板状体の縁端を横切る所定領域に対応した処理領域では、当該処理領域から得られる前記主走査方向に延びる検査ライン上の濃淡値プロファイルに基づいて前記縁端間距離情報を生成する請求項３または４記載の貼り合せ板状体検査装置。
【請求項６】
前記縁端間距離情報生成手段は、前記濃淡値プロファイルにおいて、前記第１板状体の縁端に対応した第１明ピークの位置と、当該第１明ピークの位置から前記第１板状体の縁端の外側方向または内側方向の所定範囲内にある第１暗ボトムの位置との間で前記第１板状体の縁端に対応する第１位置を決定する第１位置決定手段と、
前記濃淡値プロファイルにおいて、前記第１明ピークから離れた第２明ピークの位置と、当該第２明ピークの位置から前記接着剤の縁端の外側方向または内側方向の所定範囲内にある第２暗ボトムの位置との間で前記接着剤の縁端に対応した第２位置を決定する第２位置決定手段と、
前記第１位置と前記第２位置との間の距離を演算する距離演算手段とを有し、
該距離演算手段にて得られた距離を表す前記縁端間距離情報を生成する請求項１乃至５のいずれかに記載の貼り合せ板状体検査装置。
【請求項７】
前記第２位置決定手段は、前記第２明ピークの濃淡値と前記第２暗ボトムの濃淡値との差が所定値より大きいとき、当該第２明ピークの位置と当該第２暗ボトムの位置との間で前記第２位置を決定する請求項６記載の貼り合せ板状体検査装置。
【請求項８】
前記第１位置決定手段は、前記濃淡値プロファイルにおいて、前記第１明ピークの濃淡値の位置と前記第１暗ボトムの濃淡値の位置との間の前記第１明ピークの濃淡値と前記第１暗ボトムの濃淡値との中間値に対応する位置を前記第１位置として決定する請求項６または７記載の貼り合せ板状体検査装置。
【請求項９】
前記第２位置決定手段は、前記濃淡値プロファイルにおいて、前記第２明ピークの濃淡値の位置と前記第２暗ボトムの濃淡値の位置との間の前記第２明ピークの濃淡値と前記第２暗ボトムの濃淡値との中間値に対応する位置を前記第２位置として決定する請求項６乃至８のいずれかに記載の貼り合せ板状体検査装置。
【請求項１０】
透光性を有する第１板状体と、第２板状体とが接着剤により貼り合わされてなる貼り合せ板状体を撮影して検査する貼り合せ板状体検査方法であって、
前記貼り合せ板状体の前記第１板状体側から照明手段が当該貼り合せ板状体を照明している状態で前記貼り合せ板状体の第１板状体に対向して配置されたラインセンサカメラが前記貼り合せ板状体を走査する際に、前記ラインセンサカメラから出力される映像信号に基づいて画素単位の濃淡値からなる検査画像情報を生成する検査画像情報生成ステップと、
前記検査画像情報生成ステップにより生成された前記検査画像情報から得られる前記第１板状体の縁端を横切る検査ライン上の濃淡値プロファイルに基づいて、前記検査ライン上での前記第１板状体の縁端と前記接着剤の縁端との間隔を表す縁端間距離情報を生成する縁端間距離情報生成ステップとを有し、
前記第１板状体の縁端は、前記第２板状体の縁端より内側にあり、
前記縁端間距離情報生成ステップは、前記接着剤が前記第１板状体の縁端からはみ出している場合と前記接着剤が前記第１板状体の縁端に達していない場合とを区別して、前記縁端間距離情報を生成し、前記縁端間距離情報生成ステップにて生成される前記縁端間距離情報に基づいた検査結果を提供する貼り合せ板状体検査方法。
【請求項１１】
前記縁端間距離情報生成ステップは、前記検査画像情報から得られる前記第１板状体の縁端を横切る前記ラインセンサカメラの副走査方向または主走査方向に延びる検査ライン上の濃淡値プロファイルに基づいて前記縁端間距離情報を生成する請求項１０記載の貼り合せ板状体検査方法。
【手続補正２】
【補正対象書類名】明細書
【補正対象項目名】００１０
【補正方法】変更
【補正の内容】
【００１０】
本発明に係る貼り合せ板状体検査装置は、透光性を有する第１板状体と、第２板状体とが接着剤により貼り合わされてなる貼り合せ板状体を撮影して検査する貼り合せ板状体検査装置であって、前記貼り合せ板状体の前記第１板状体に対向して配置されるラインセンサカメラと、前記貼り合せ板状体の前記第１板状体側から斜めに当該貼り合せ板状体を照明する照明手段と、該照明手段により照明がなされている状態で前記貼り合せ板状体を走査する前記ラインセンサカメラから出力される映像信号を処理する処理ユニットとを有し、前記処理ユニットは、前記ラインセンサカメラから出力される映像信号に基づいて画素単位の濃淡値からなる検査画像情報を生成する検査画像情報生成手段と、前記検査画像情報生成手段により生成された前記検査画像情報から得られる前記第１板状体の縁端を横切る検査ライン上の濃淡値プロファイルに基づいて、前記検査ライン上での前記第１板状体の縁端と前記接着剤の縁端との間隔を表す縁端間距離情報を生成する縁端間距離情報生成手段とを有し、前記第１板状体の縁端は、前記第２板状体の縁端より内側にあり、前記縁端間距離情報生成手段は、前記接着剤が前記第１板状体の縁端からはみ出している場合と前記接着剤が前記第１板状体の縁端に達していない場合とを区別して、前記縁端間距離情報を生成し、前記縁端間距離情報生成手段にて生成される前記縁端間距離情報に基づいた検査結果を提供する構成となる。
【手続補正３】
【補正対象書類名】明細書
【補正対象項目名】００１１
【補正方法】変更
【補正の内容】
【００１１】
また、本発明に係る貼り合せ板状体検査方法は、透光性を有する第１板状体と、第２板状体とが接着剤により貼り合わされてなる貼り合せ板状体を撮影して検査する貼り合せ板状体検査方法であって、前記貼り合せ板状体の前記第１板状体側から照明手段が当該貼り合せ板状体を照明している状態で前記貼り合せ板状体の第１板状体に対向して配置されたラインセンサカメラが前記貼り合せ板状体を走査する際に、前記ラインセンサカメラから出力される映像信号に基づいて画素単位の濃淡値からなる検査画像情報を生成する検査画像情報生成ステップと、前記検査画像情報生成ステップにより生成された前記検査画像情報から得られる前記第１板状体の縁端を横切る検査ライン上の濃淡値プロファイルに基づいて、前記検査ライン上での前記第１板状体の縁端と前記接着剤の縁端との間隔を表す縁端間距離情報を生成する縁端間距離情報生成ステップとを有し、前記第１板状体の縁端は、前記第２板状体の縁端より内側にあり、前記縁端間距離情報生成ステップは、前記接着剤が前記第１板状体の縁端からはみ出している場合と前記接着剤が前記第１板状体の縁端に達していない場合とを区別して、前記縁端間距離情報を生成し、前記縁端間距離情報生成ステップにて生成される前記縁端間距離情報に基づいた検査結果を提供する構成となる。
【手続補正４】
【補正対象書類名】明細書
【補正対象項目名】００２６
【補正方法】変更
【補正の内容】
【００２６】
照明光ＲＬは、例えば、図１０に示すように、照明ユニット５１から、走査方向Ｂと平行な中心線ＣＬの両側に僅かな広がりをもって出射される。このような照明光ＲＬがセンサパネル１１の第２縁端１１Ｅ２に沿って移動（走査）する際に、例えば、図１１（図７におけるＣ２−Ｃ２線断面を示す）に示すように、その照明光ＲＬがセンサパネル１１の第２縁端１１Ｅ２の角にて乱反射してその乱反射光の一部がラインセンサカメラ５０に入射し得るとともに、その照明光ＲＬが、例えば、センサパネル１１の第２縁端１１Ｅ２からはみ出してオーバーフロー状態にある接着剤１３の縁端１３Ｅ２にて乱反射してその乱反射光の一部がラインセンサカメラ５０に入射し得る。この場合、照明光ＲＬが照明ユニット５１から僅かに外方に広がって斜めに照射されるので（図１０参照）、センサパネル１１の第２縁端１１Ｅ２から外側（走査方向Ｂに直交する方向）に僅かに出た部分に影Ｅｄ５が形成され得るとともに、接着剤１３の縁端１３Ｅ２から外側（走査方向Ｂに直交する方向）に僅かに出た部分に影Ｅｄ６が形成され得る。